(57)【要約】      （修正有）【課題】焦点調節動作後に被写体の撮像が行われたか否かを容易に判別することができる撮像装置を提供する。【解決手段】撮影レンズの撮影光路外に配置される第１位置と、該撮影光路上に配置される第２位置との間を移動可能であり、表示部においてスルー画の表示を行う場合には第１位置に配置され、焦点検出部による焦点検出が行われる場合には第２位置に配置されて焦点検出部に被写体光を導くミラー７と、表示部においてスルー画の表示中に、ミラーを、焦点検出部による焦点検出動作のために第１位置から第２位置に移動せしめ、その後再び第１位置に復帰せしめた場合には、焦点検出部および焦点調節部による焦点調節動作が行われたことを示す報知表示を表示部上で実行せしめる表示制御部１７とを備える。【選択図】図１
2010169858.tif 000002
【特許請求の範囲】
【請求項１】
撮影レンズを介した被写体光を撮像する撮像素子と、
前記撮像素子からの撮像信号に基づくスルー画を表示する表示部と、
前記撮影レンズの撮影光路外に配置されており、該撮影レンズを介して前記撮像素子に撮像される被写体像の焦点状態を検出する焦点検出部と、
前記焦点検出部による焦点検出結果に基づいて、前記撮影レンズの焦点調節動作を行う焦点調節部と、
前記撮影レンズの撮影光路外に配置される第１位置と、該撮影光路上に配置される第２位置との間を移動可能であり、前記表示部において前記スルー画の表示を行う場合には前記第１位置に配置され、前記焦点検出部による焦点検出が行われる場合には前記第２位置に配置されて前記焦点検出部に前記被写体光を導くミラーと、
前記表示部において前記スルー画の表示中に、前記ミラーを、前記焦点検出部による焦点検出動作のために前記第１位置から前記第２位置に移動せしめ、その後再び前記第１位置に復帰せしめた場合には、前記焦点検出部および前記焦点調節部による焦点調節動作が行われたことを示す報知表示を前記表示部上で実行せしめる表示制御部と、
を備えることを特徴とする撮像装置。
【請求項２】
前記表示制御部は、前記報知表示を文字表示で前記表示部に実行せしめることを特徴とする請求項１記載の撮像装置。
【請求項３】
前記表示制御部は、前記報知表示を前記焦点検出部による合焦位置を示すフォーカスエリアの表示状態を変更することにより、前記表示部に実行せしめることを特徴とする請求項1記載の撮像装置。
【請求項４】
前記表示制御部は、前記報知表示を前記スルー画に対してオーバラップ表示するよう前記表示部を制御することを特徴とする請求項１〜３の何れか一項に記載の撮像装置。
【発明の詳細な説明】
【技術分野】
【０００１】
本発明は、オートフォーカス機能を備えた撮像装置に関するものである。
【背景技術】
【０００２】
一眼レフタイプの撮像装置において、撮像素子からの撮像信号に基づくライブビュー画像（スルー画像）が背面モニタに表示されるライブビュー機能を備えた撮像装置が知られている。通常、一眼レフタイプの撮像装置では、撮影光路中にクイックリターンミラーを配置させた状態（ミラーダウン状態）で、該クイックリターンミラーに付随するサブミラーからの反射光（被写体光）を、撮影光路の下方に配置されている位相差検出方式の焦点検出装置に導いて焦点検出動作を行っている。このような一眼レフタイプの撮像装置においては、上述のミラーダウン状態下で上述の位相差検出式の焦点検出・調節動作（以降、「ＡＦ動作」と称す）を行っている間、背面モニタでのライブビュー画像の表示はオフされる（例えば、特許文献１参照）。
【先行技術文献】
【特許文献】
【０００３】
【特許文献１】特許第３７２６６３０号公報
【発明の概要】
【発明が解決しようとする課題】
【０００４】
ところで、従来の撮像装置では、位相差検出方式のＡＦ動作時及び撮像素子による被写体の撮像時には、ライブビュー画像の表示がオフ（消失）される。このライブビュー画像の消失自体はユーザーによって確認可能である。そしてこのライブビュー画像の消失が、実際はＡＦ動作が完了しただけであり、未だ被写体の撮像は行われていないにもかかわらず、ユーザーに対して被写体の撮像動作が完了したという誤解を与える虞があった。
【０００５】
本発明の目的は、ライブビュー表示中に、そのライブビュー画像表示の消失を伴うようなカメラ動作（ＡＦ動作）を行った場合、その画像消失中に被写体の撮像が行われたかのか否かを、ユーザーが容易に判別することが可能な撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、撮影レンズ（３ａ）を介した被写体光を撮像する撮像素子（２１）と、前記撮像素子（２１）からの撮像信号に基づくスルー画を表示する表示部（３１）と、前記撮影レンズ（３ａ）の撮影光路外に配置されており、該撮影レンズ（３ａ）を介して前記撮像素子（２１）に撮像される被写体像の焦点状態を検出する焦点検出部（１５）と、前記焦点検出部（１５）による焦点検出結果に基づいて、前記撮影レンズ（３ａ）の焦点調節動作を行う焦点調節部（１９）と、前記撮影レンズ（３ａ）の撮影光路外に配置される第１位置と、該撮影光路上に配置される第２位置との間を移動可能であり、前記表示部（３１）において前記スルー画の表示を行う場合には前記第１位置に配置され、前記焦点検出部（１５）による焦点検出が行われる場合には前記第２位置に配置されて前記焦点検出部（１５）に前記被写体光を導くミラー（７）と、前記表示部において前記スルー画の表示中に、前記ミラー（７）を、前記焦点検出部（１５）による焦点検出動作のために前記第１位置から前記第２位置に移動せしめ、その後再び前記第１位置に復帰せしめた場合には、前記焦点検出部（１５）および前記焦点調節部（１９）による焦点調節動作が行われたことを示す報知表示を前記表示部（３１）上で実行せしめる表示制御部（１７）とを備えることを特徴とする。
【発明の効果】
【０００８】
本発明の撮像装置によれば、焦点調節動作後に被写体の撮像が行われたか否かを容易に判別することができる。
【図面の簡単な説明】
【０００９】
【図１】実施の形態に係る電子カメラの構成を示す図である。
【図２】実施の形態に係る電子カメラにおいて撮像する際の処理について説明するためのフローチャートである。
【図３】報知表示の例を示す図である。
【図４】報知表示の他の例を示す図である。
【図５】報知表示の他の例を示す図である。
【発明を実施するための形態】
【００１０】
以下、図面を参照して、本発明の実施の形態に係る撮像装置としての電子カメラについて説明する。図１は、実施の形態に係る電子カメラ１の構成を示す図である。図１に示すように、電子カメラ１には、電子カメラ１に対して着脱可能に構成されるレンズユニット３が装着されており、レンズユニット３には、被写体光を電子カメラ１の筐体４内に導く撮影レンズ３ａが設けられている。また、筐体４内には、メインミラー５が設けられており、メインミラー５には、サブミラー７が設けられている。メインミラー５は、軸５ａを軸として回動可能に構成されており、サブミラー７は、メインミラー５に連動して回動する。図１に示すように、メインミラー５が撮影レンズ３ａの撮影光路上に配置され、撮影レンズ３ａを介した被写体光を受光できる位置（以下、ミラーダウン位置という）にある場合には、撮影レンズ３ａを介した被写体光は、メインミラー５により反射され、ペンタプリズム９及び接眼レンズ１１を介して、ファインダ表示部１３に到達する。ファインダ表示部１３には、被写体の光学像が表示される。
【００１１】
ここで、メインミラー５の中央に入射した被写体光は、メインミラー５に設けられている開口部（図示せず）を通過して、サブミラー７により反射され、焦点検出部１５に入射する。焦点検出部１５は、撮影レンズ３ａの撮影光路外に配置されており、撮影レンズ３ａを介して後述する撮像素子により撮像される被写体像の焦点状態を検出する。即ち、焦点検出部１５は、周知の結像位相差検出方式により被写体の距離情報を測定し、測定された距離情報に基づいてデフォーカス量を検出する。焦点検出部１５において検出されたデフォーカス量は、マイクロプロセッサ等により構成され、電子カメラ１の各部を統括的に制御する制御部１７に対して出力される。
【００１２】
制御部１７は、焦点検出部１５により出力されたデフォーカス量に基づいて、撮影レンズ３ａの焦点調節動作を行う焦点調節部１９に対して制御信号を出力する。焦点調節部１９は、制御部１７からの制御信号に従い、図示しないレンズ駆動機構を介して撮影レンズ３ａを光軸方向に移動させることにより、撮影レンズ３ａの焦点を調節する。
【００１３】
一方、ミラー５が回動されることにより撮影レンズの撮影光路外に配置され、撮影レンズ３ａを介した被写体光を受光できない位置（以下、ミラーダウン位置という）にある場合には、撮影レンズ３ａを介した被写体光は、撮像素子２１に入射する。撮像素子２１は、ＣＣＤまたはＣＭＯＳ等により構成され、被写体光を撮像して撮像信号を画像処理部２３に出力する。画像処理部２３は、撮像素子２１からの撮像信号に対して各種の画像処理（ホワイトバランス調正、色補正、階調補正等）が施された画像データを生成し、生成された画像データを制御部１７に対して出力する。制御部１７は、画像処理部２３から出力された画像データを、撮影日時、露出等の撮影に関する情報と共に所定の形式でバッファメモリ２５に一時的に記憶させる。
【００１４】
記録媒体２７は、電子カメラ１に設けられたカードスロット（図示せず）に着脱可能に装着される可搬性を有する記録媒体である。記録媒体２７には、バッファメモリ２５に記憶される画像データ及び撮像に関する情報等が記録される。シャッターボタン２９は、被写体の撮像を指示する際にユーザーにより操作され、制御部１７は、シャッターボタン２９の半押しを確認すると、焦点検出部１５からの検出結果に基づいて、焦点調節部１９を介して撮影レンズ３ａの焦点調節を行う。また、制御部１７は、シャッターボタン２９の全押しを確認すると、メインミラー５をミラーアップ位置からミラーダウン位置に移動させて、図示しない測光部による測光等が行われた後、再びメインミラー５をミラーアップ位置に移動させ、被写体像の撮像を行う。
【００１５】
表示部３１は、電子カメラ１の背面部に配置されるＬＣＤ等により構成されており、ライブビュー画像であるスルー画像、記録媒体２７に記録されている画像データに基づく画像、撮像に関する情報、及び後述する焦点検出部１５及び焦点調節部１９による焦点調節動作が行われたことを示す文字等を表示する。
【００１６】
次に、図２に示すフローチャートを参照して、この実施の形態に係る電子カメラ１において撮像する際の処理について説明する。
【００１７】
まず、制御部１７は、電子カメラ１の電源オンを確認すると、メインミラー５をミラーアップ位置に配置し、撮像素子２１からの撮像信号に基づくスルー画像を表示部３１に表示させる（ステップＳ１０）。次に、制御部１７は、表示部３１においてスルー画像を表示中に、ユーザーによりシャッターボタン２９が半押しされたことを確認すると（ステップＳ１１）、焦点検出動作のためにメインミラー５をミラーダウン位置に移動させる（ステップＳ１２）。メインミラー５がミラーダウン位置に移動することにより、撮影レンズ３ａからの被写体光が撮像素子２１に入射しなくなるため、表示部３１には、スルー画像が表示されなくなる。
【００１８】
次に、制御部１７は、焦点検出部１５において結像位相差検出方式により被写体の距離情報を測定し、測定された距離情報に基づいて検出されたデフォーカス量を取得する。そして、取得したデフォーカス量に基づいて、焦点調節部１９を介して撮影レンズ３ａを光軸方向に移動させ、撮影レンズ３ａの焦点を調節する（ステップＳ１３）。ステップＳ１３において撮影レンズ３ａの焦点調節を終えた後、制御部１７は、メインミラー５をミラーアップ位置に移動させる（ステップＳ１４）。メインミラー５がミラーアップ位置に復帰することにより、撮影レンズ３ａからの被写体光が撮像素子２１に再び入射し始め、表示部３１にはスルー画像が表示される。
【００１９】
次に、制御部１７は、表示部３１に、焦点検出部１５及び焦点調節部１９による焦点調節動作が行われたことを示す報知表示を行う（ステップＳ１５）。例えば図３に示すように、表示部３１に表示されているスルー画像３５に対して、「ピント合わせを行ないました。撮影するには、シャッターボタンを全押しして下さい。」等のコメント表示３７をオーバーラップ表示する。このコメント表示される内容は、「未だ撮影が行われていない」旨をユーザーに対して報知するコメント内容であれば良い。なお、この報知表示は、予め設定されている所定時間の間（例えば数秒間）行われる。
【００２０】
次に、制御部１７は、ユーザーによりシャッターボタン２９が全押しされたことを確認すると（ステップＳ１６）、被写体を撮像する（ステップＳ１７）。具体的には、メインミラー５をミラーダウン位置に移動させ、測光等が行われた後、再びメインミラー５をミラーアップ位置に移動させ、撮像素子２１により被写体を撮像させる。
【００２１】
この実施の形態に係る電子カメラ１によれば、焦点調節動作後であって撮像前に焦点調整動作が行われたことを示す報知表示を行うため、被写体の撮像が行われていないことを容易に把握することができる。したがって、焦点調節動作時のミラーアップ位置からミラーダウン位置への移動を、撮像時のミラーアップ位置からミラーダウン位置への移動と誤解し、撮像が行われていないにもかかわらず撮像が行われたと誤解することを防止することができる。
【００２２】
なお、この実施の形態においては、文字表示により報知表示を行っているが、焦点検出部１５による合焦位置を示すフォーカスエリアの表示状態を変化させることによる報知表示を行うこともできる。焦点調節動作前においては、例えば図４に示すように、合焦位置を示すフォーカスエリア４０の枠４２を例えば赤色で表示し、焦点調節動作後であって被写体の撮像前においては、図５にしめすように、枠４２の色を赤以外の色（例えば青色等）に変化させる。そして、被写体の撮像後、枠４２の色を焦点調節動作前の色（例えば赤色）に変化させる。この場合には、枠４２の色により焦点調節動作後に被写体の撮像が行われたか否かを容易に判別することができる。また、焦点調節動作前においては、フォーカスエリア４０の枠４２を例えば点滅表示させ、焦点調節動作後であって被写体の撮像前においては、枠４２を例えば点灯表示に変化させることもできる。この場合には、枠４２の点滅・点灯により焦点調節動作後に被写体の撮像が行われたか否かを容易に判別することができる。
【００２３】
また、この実施の形態においては、報知表示をスルー画像に対してオーバーラップ表示させているが、報知表示のみを行うこともできる。例えば、被写体の動きに合わせて焦点状態の検出を継続している場合には、ユーザーによりシャッターボタン２９が全押しされるまでメインミラー５はミラーダウン位置に配置され続け、表示部３１にスルー画像が表示されない。この場合には、被写体の撮像前であることを示す報知表示を、スルー画像が表示されていない表示部３１に対して行う。
【００２４】
また、この実施の形態においては、表示部３１に報知表示しているが、ＥＶＦ（電子ビューファインダ）等により構成されるファインダ表示部を備えている場合にはファインダ表示部に報知表示することもできる。また、この実施の形態に係る電子カメラ１においては、結像位相差検出方式により焦点状態を検出する焦点検出部１５を備えているが、他の検出方式により焦点状態を検出する焦点検出部を備えていてもよい。
【符号の説明】
【００２５】
１…電子カメラ、３…レンズユニット、３ａ…撮影レンズ、５…メインミラー、７…サブミラー、９…ペンタプリズム、１１…接眼レンズ、１３…ファインダ表示部、１５…焦点検出部、１７…制御部、１９…焦点調節部、２１…撮像素子、２３…画像処理部、２５…バッファメモリ、２７…記録媒体、２９…シャッターボタン、３１表示部。
【図１】
2010169858.tif 000003
【図２】
2010169858.tif 000004
【図３】
2010169858.tif 000005
【図４】
2010169858.tif 000006
【図５】
2010169858.tif 000007